(57)【特許請求の範囲】
【請求項１】
開削孔の底部に設ける底版部と、前記開削孔の側面に沿って設ける壁体とを備えた地中構造物において、
上下方向に積み上げられると共に壁左右方向に並べて設けられ、内部にコンクリートを充填して壁体を形成する壁用型枠ブロックであって、幅方向両側に設けられ前記壁体の外面を形成する外面部と、これら両側の外面部を連結する連結腕部とを備え、前記連結腕部は、前記外面部の両側に設けられ、前記ブロック相互が上下に積み上げ可能であるプレキャストコンクリート製の壁用型枠ブロックと、
前記底版部と前記壁体との間に位置するコーナー部に設けられ、前記壁用型枠ブロックを重ねる上面部と、連結鉄筋が突設された底版形成面とを備えるプレキャストコンクリート製の基礎ブロックと、
を用い、
両側の前記基礎ブロックの間に打設された現場打ちコンクリート部と、両側の前記基礎ブロックと、により前記底版部を形成し、
前記基礎ブロックの上に前記壁用型枠ブロックを上下方向に積み上げられると共に左右方向に並べ、前記両側の外面部の間にコンクリートを充填して前記壁体を形成したことを特徴とする地中構造物。
【請求項２】
前記連結腕部は、前記外面部の両側及び中央に設けられていることを特徴とする請求項１記載の地中構造物。
【請求項３】
前記連結腕部は、上下方向に間隔を置いて複数設けられていることを特徴とする請求項１又は２記載の地中構造物。
【請求項４】
請求項１〜３のいずれか１項に記載の地中構造物の施工方法において、前記開削孔の側面に沿って前記壁体を設ける際、前記開削孔の側面に沿って、前記壁用型枠ブロックを左右方向に並べると共に壁構造の途中の高さまで積み上げた後、コンクリートを充填し、前記壁用型枠ブロックの積み上げと前記コンクリートの充填を複数回分けて所定高さ毎に行うことを特徴とする地中構造物の施工方法。
【請求項５】
前記開削孔の側面位置に矢板を打設し、両側の矢板の間を掘削して前記開削孔を形成し、前記矢板により前記開削孔の側面の土留めを施し、両側の前記矢板の間に切り梁を上下多段に設けることを特徴とする請求項４記載の地中構造物の施工方法。
【発明の詳細な説明】
【技術分野】
【０００１】
本発明は、現場でコンクリートを充填する壁用型枠ブロックを用いる地中構造物とその施工方法に関するものである。
【背景技術】
【０００２】
従来、この種のものとして、Ｔ型プレキャストブロックを順次積み重ねるとともに、Ｔ型プレキャストブロックの控壁中空部より突出してなるポスト鉄筋を延長して、Ｔ型プレキャストブロックの控壁部内に配筋し、胴込コンクリートの打設により側壁を形成するものがある（例えば特許文献１）。しかし、この壁構造では、隣り合う控壁中空部の間に隙間ができるため、壁体を控壁中空部の幅に形成するには、壁体の外側に別個に型枠材を設けなければならない。
【０００３】
ところで、壁体を有する地中構造物の施工において、地中構造物を敷設する箇所の両側に、連続地中壁を設けた後、それら連続地中壁の間を掘削する（例えば特許文献２）場合がある。そして、前記連続地中壁には矢板などが用いられ、この土留め壁となる矢板には背面土圧が加わるため、現場によっては、連続地中壁の倒れを防止するために、両側の連続地中壁の間に切り梁が複数段に設けられる。
【０００４】
そして、現場打ちコンクリートにより、上記のような掘削孔に地中構造物の壁体を構築するには、型枠組み作業において、前記切り梁が邪魔になり、作業性が低下する問題がある。
【特許文献１】実用新案登録第３０５１３５０号公報（０００４段）
【特許文献２】特開平１１−１１５８２号公報（図２）
【発明の開示】
【発明が解決しようとする課題】
【０００５】
そこで、本発明は、施工条件による制約を受けにくく、現場で簡便に構築することができる地中構造物とその施工方法を提供することを目的とする。
【課題を解決するための手段】
【０００６】
また、請求項１の発明は、開削孔の底部に設ける底版部と、前記開削孔の側面に沿って設ける壁体とを備えた地中構造物において、
上下方向に積み上げられると共に壁左右方向に並べて設けられ、内部にコンクリートを充填して壁体を形成する壁用型枠ブロックであって、幅方向両側に設けられ前記壁体の外面を形成する外面部と、これら両側の外面部を連結する連結腕部とを備え、前記連結腕部は、前記外面部の両側に設けられ、前記ブロック相互が上下に積み上げ可能であるプレキャストコンクリート製の壁用型枠ブロックと、
前記底版部と前記壁体との間に位置するコーナー部に設けられ、前記壁用型枠ブロックを重ねる上面部と、連結鉄筋が突設された底版形成面とを備えるプレキャストコンクリート製の基礎ブロックと、
を用い、
両側の前記基礎ブロックの間に打設された現場打ちコンクリート部と、両側の前記基礎ブロックと、により前記底版部を形成し、
前記基礎ブロックの上に前記壁用型枠ブロックを上下方向に積み上げられると共に左右方向に並べ、前記両側の外面部の間にコンクリートを充填して前記壁体を形成したものである。
【０００７】
また、請求項２の発明は、前記連結腕部は、前記外面部の両側及び中央に設けられているものである。
【０００８】
また、請求項３の発明は、上下方向に間隔を置いて複数設けられているものである。
【０００９】
また、請求項４の発明は、請求項１〜３のいずれか１項に記載の地中構造物の施工方法において、開削孔の側面に沿って前記壁構造を設ける際、前記開削孔の側面に沿って、前記壁用型枠ブロックを左右方向に並べると共に壁構造の途中の高さまで積み上げた後、コンクリートを充填し、前記壁用型枠ブロックの積み上げと前記コンクリートの充填を複数回分けて所定高さ毎に行う方法である。
【００１０】
また、請求項５の発明は、前記開削孔の側面位置に矢板を打設し、両側の矢板の間を掘削して前記開削孔を形成し、前記矢板により前記開削孔の側面の土留めを施し、両側の前記矢板の間に切り梁を上下多段に設ける方法である。
【発明の効果】
【００１１】
請求項１の地中構造物によれば、両側の基礎ブロックの間に打設された現場打ちコンクリート部と、両側の基礎ブロックと、により底版部を形成し、その基礎ブロック上に壁用型枠ブロックを上下方向に積み上げると共に左右方向に並べ、壁用型枠ブロックの両側の外面部の間に現場打ちコンクリートを充填することにより、両側が壁用型枠ブロックの外面部により構成された壁体を備えた地中構造物を現場で構築することができる。
【００１２】
また、請求項２の地中構造物によれば、連結腕部は、外面部の両側及び中央に設けられている。
【００１３】
また、請求項３の地中構造物によれば、連結腕部は、上下方向に間隔を置いて複数設けられている。
【００１４】
また、請求項１の地中構造物によれば、壁用型枠ブロックの両面を型枠に利用して、壁構造を現場で簡便に構築することができる。
【００１５】
また、請求項４の施工方法によれば、開削孔の側面間に切り梁などを設けるなどして施工に制約がある現場でも、壁用型枠ブロックを途中まで積み上げて壁構造の一部を構築した後、切り梁を取外し、その途中の壁体の上に壁用型枠ブロックを積み重ね、高さ方向に複数回に分けてコンクリートを打設することにより、壁体を構築できる。
【００１６】
また、請求項５の施工方法によれば、矢板により前記開削孔の側面の土留めを施し、両側の前記矢板の間に切り梁を上下多段に設ける。
【発明を実施するための最良の形態】
【００１７】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な構成を採用することにより、従来にない機能を付加した地中構造物とその施工方法が得られ、地中構造物とその施工方法を夫々記述する。
【００１８】
以下、本発明の実施形態を添付図面を参照して説明する。図１〜図６は本発明の参考例１を示す。図４〜図５などに示すように、開削孔101の側面には、鋼矢板102が連続する鋼矢板壁103が形成されている。そして、実際の施工においては、開削孔101の側面位置に矢板たる鋼矢板102を打設して連続した鋼矢板壁103を形成した後、両側の鋼矢板壁103，103の間を掘削して開削孔101を形成する。
【００１９】
このような現場で壁構造を形成する際、壁用型枠ブロック１を用いる。図１に示すように、その壁用型枠ブロック１は、縦方向より幅方向の大きな外面部たる外板部２と、この外板部２の両端側に設けられ内面側に突出された腕部３，３とを一体に備え、前記外板部２は正面長方形形状で平板状をなし、さらに、前記外板部２の内面には複数の鉄筋４を突設し、この鉄筋４は幅方向に並んで上下複数段に配置されている。尚、この鉄筋４はコ字状のジベルである。そして、前記外板部２と腕部３，３の上，下面５，５が水平で平坦に形成されて、ブロック１，１相互が上下に積み上げ可能となっており、積み上げ状態で自立する。また、前記外板部２と腕部３とは同一厚さであり、前記鉄筋４の先端と外板部２との間隔である鉄筋突出寸法は、前記腕部３の突出寸法より大である。
【００２０】
図２は、調整用の壁用型枠ブロック１Ａを示し、このブロック１Ａは高さ寸法が前記ブロック１の略２分の１で、鉄筋４が一段に設けられている以外は前記ブロック１と同一構成である。尚、ブロック１，１Ａはプレキャストコンクリート製である。また、その型枠用ブロック１Ａのみを用いて壁構造を構築するようにしてもよい。
【００２１】
通路や水路などを構成する地中構造物11は、その壁体12に前記ブロック１，１Ａを用いる。また、構造物11の底版部13と壁体12との間に位置するコーナー部14には、プレキャストコンクリート製の基礎ブロック21を用いる。
【００２２】
この基礎ブロック21は、断面略Ｌ型で、前記ブロック１，１Ａを重ねる上面部22と、地中構造物11の中央側に向いた縦方向の底版形成面23とを備え、前記上面部22の内端と底版形成面23の上端とを凹状彎曲面24により連結している。前記基礎ブロック21の上面部22及び底版形成面23には複数の連結鉄筋25が突設されている。これら連結鉄筋25が現場打ちコンクリートに埋設されることにより、壁体12のコンクリートと底版部13のコンクリートと前記基礎ブロック21が一体化される。また、前記ブロック１，１Ａは基礎ブロック21より構造物長さ方向に長く形成されている。
【００２３】
次に、前記構成につき、施工方法を合わせて説明すると、開削孔101には、両側の鋼矢板壁103，103の間に切り梁104，104Ａを上下多段に設ける（図中は上下２段を図示）。この例では、鋼矢板壁103が型枠構成体である。鋼矢板壁103により開削孔101の側面の土留めを施した後、開削孔101の底部を均し、地中構造物11の基礎として、前記開削孔101の底部に基礎砕石層105を設け、この基礎砕石層105の上に現場打ちコンクリートにより基礎コンクリート層106を形成し、この基礎コンクリート層106の上面を平坦に形成する。
【００２４】
このようにして基礎が完成したら、底版形成面23を中央側に向けて、開削孔101の幅方向両側に基礎ブロック21を該開削孔101の長さ方向に複数並べる。この後、両側の基礎ブロック21の間で基礎上に現場打ちコンクリートを打設し、この現場打ちコンクリート部107と両側の基礎ブロック21とが一体となって前記底版部13が形成される。また、前記基礎ブロック21の上にブロック１を積み上げ、腕部３の先端と鋼矢板壁103との間に所定の間隔を置く。また、左右方向に隣り合うブロック１，１同士は腕部３，３の端面を突き合わせる。この例では、ブロック１を上下４段に積み重ねるが、まず、下段の切り梁104Ａの下までブロック１を重ねる。この場合、切り梁104Ａは下から２段目のブロック１の位置にあるから、その下の１段目のブロック１を並べる。並べたブロック１は、コンクリートを充填するまで、必要に応じて適宜手段により仮固定するようにしても良い。このようにして切り梁104Ａの下までブロック１を並べたら、図５に示すように、ブロック１の内面と鋼矢板壁103との間に、ブロック１の上部高さ位置まで現場打ちコンクリート108を充填する。尚、この場合、この壁構造における１回目のコンクリートの打設と、前記現場打ちコンクリート部107のコンクリートの打設を同時に行ってもよい。現場打ちコンクリート108が所定の強度まで硬化したら、鋼矢板壁103と該コンクリート108とブロック１とが一体となった壁構造の下部が形成され、この壁構造の下部により鋼矢板壁103を押える力が得られる。したがって、ブロック１の上の切り梁104Ａを外すことができ、この切り梁104Ａを外した後、上段の切り梁104の下までブロック１を重ね合わせ、すなわち、この例では、ブロック１を基礎ブロック21の上に三段に重ね合わせた後、ブロック１と鋼矢板壁103との間に現場打ちコンクリート108を充填し、このコンクリート108が所定の強度まで硬化したら、上段の切り梁104を取外し、この外した部分にブロック１を重ね合わせ、ブロック１と鋼矢板壁103の上部に現場打ちコンクリート108を充填し、このようにして開削孔101の下部から上部に至る壁構造たる壁体12を形成する。
【００２５】
尚、図中109は壁体12の上部に設けた天端ブロックであり、プレキャストコンクリート製である。また、地中構造物11の上部は開口していてもよいし、蓋体（図示せず）などにより閉塞していてもよい。また、図６の斜視図では、鋼矢板102及び鋼矢板壁103を図示省略している。
【００２６】
このように参考例では、縦方向の型枠構成体である鋼矢板壁103の一側面に沿って上下方向に積み上げられると共に左右方向に並べて設けられ、鋼矢板壁103との間にコンクリート108を充填して壁体12を形成する壁用型枠ブロック１であって、壁体12の一側面を形成する外面部たる外板部２と、この外板部２の内面に突設された腕部３，３とを備えるから、ブロック１を鋼矢板壁103の一側面に沿って上下方向に積み上げると共に左右方向に並べ、ブロック１の外板部２と鋼矢板壁103との間に現場打ちコンクリート108を充填することにより、一側面がブロック１の外板部２により構成され、他側面が鋼矢板壁により構成された壁体12を現場で構築することができる。
【００２７】
また、このように参考例では、上記壁用型枠ブロックを型枠構成体たる鋼矢板壁103の一側面に沿って上下方向に積み上げられると共に左右方向に並べ、外面部たる外板部２と鋼矢板壁103との間にコンクリート108を充填してなるから、ブロックの一側面を型枠に利用して、壁体12を現場で簡便に構築することができる。
【００２８】
また、このように参考例では、上記壁構造を備えた地中構造物11の施工方法において、開削孔101の側面に沿って壁構造たる壁体12を設ける際、開削孔101の側面を構成する鋼矢板壁103を型枠構成体として用い、鋼矢板壁103の一側面に沿って、壁用型枠ブロック１を左右方向に並べると共に壁体12の途中の高さまで積み上げた後、コンクリート108を充填し、壁用型枠ブロック１の積み上げとコンクリート108を複数回に分けて所定高さ毎に行うから、開削孔101間に切り梁104，104Ａなどを設けるなどして施工に制約がある現場でも、ブロック１を途中まで積み上げて壁体12の一部を構築した後、切り梁104，104Ａを取外し、その途中の壁体12の上にブロック１を積み重ね、高さ方向に複数回に分けてコンクリート108を打設することにより、壁体12を構築できる。
【００２９】
また、参考例上の効果として、左右両側にプレキャストコンクリート製の基礎ブロック21を並べてコーナー部14を形成し、このコーナー部14の上のブロック１，１…を積み重ねて型枠とし、このブロック１，１…と型枠構成体である鋼矢板壁103との間にコンクリート108を充填して壁体12を形成し、両側のコーナー部14，14の間に現場打ちコンクリート107を打設して底版部13を形成するから、プレキャストコンクリート製のブロック１を型枠に用いると共に、コーナー部14をプレキャストコンクリートのブロック21を用い、これらと現場打ちコンクリート107，108を組み合わせて地中構造物11の構築を簡便に行うことができる。また、型枠の代りとなる外板部２は比較的薄い平板状をなすから、運搬施工性に優れたものとなる。
【００３０】
図７〜図８は本発明の参考例２を示し、上記参考例１と同一部分に同一符号を付し、その詳細な説明を省略して詳述すると、この例では、図７に示すように、ブロック１は、外板部２の両側上下に腕部３Ａ，３Ａが突出し、鉄筋４Ａは個々の先端が略鉤型に屈曲したものを用いている。尚、図８の斜視図では、鋼矢板102及び鋼矢板壁103を図示省略している。
【００３１】
このように本参考例においても、ブロック１は壁体12の一側面を形成する外面部たる外板部２と、この外板部２の内面に突設された腕部３Ａ，３Ａとを備えるから、請求項１，３及び５に対応して、上記参考例１と同様な作用・効果を奏する。
【実施例１】
【００３２】
図９〜図１３は本発明の第１実施例を示し、上記各参考例と同一部分に同一符号を付し、その詳細な説明を省略して詳述すると、この例では、図９に示すように、ブロック１Ｂは、縦方向より幅方向の大きな外面部たる前記外板部２を幅方向両側に備え、これら外板部２，２の両側に設けられこれら外板部２，２を連結する複数の連結腕部６を備える。この連結腕部６は上下方向に間隔を置いて複数設けられ、この例では４段に並んで設けられている。そして、前記外板部２，２の上，下面５，５が水平で平坦に形成されて、ブロック１，１相互が上下に積み上げ可能となっている。
【００３３】
図１０は、調整用の壁用型枠ブロック１Ｃを示し、このブロック１Ｃは前記ブロック１Ｂを上下に２分割した形状をなし、幅方向両側に設けられ壁体の外面を形成する外板部，２と、これら両側の外板部，２とを連結する連結腕部６，６とを備え、この連結腕部６は一箇所に複数設けられている。また、前記外板部２と連結腕部６とは同一厚さである。
【００３４】
通路や水路などを構成する地中構造物11は、その壁体12に前記ブロック１Ｂ，１Ｃを用いる。また、構造物11の底版部13と壁体12とのコーナー部には、プレキャストコンクリート製の前記基礎ブロック21を用いる。
【００３５】
次に、前記構成につき、施工方法を合わせて説明すると、開削孔101には、両側の鋼矢板壁103，103の間に切り梁104，104Ａを上下多段に設けている（図中は上下２段を図示）。この例では、鋼矢板壁103を型枠して用いる必要はない。上記第１実施例と同様に、開削孔101の底部に基礎を形成したら、底版形成面23を中央側に向けて、開削孔101の幅方向両側に基礎ブロック21を該開削孔101の長さ方向に複数並べる。この後、両側の基礎ブロック21の間に現場打ちコンクリート107を打設し、この現場打ちコンクリート部107と両側の基礎ブロック21とが一体となって前記底版部13が形成される。また、前記基礎ブロック21の上にブロック１Ｂを積み上げる。この例では、ブロック１Ｂを上下４段に積み重ねるが、切り梁104Ａの下までブロック１Ｂを重ねる。この場合、切り梁104Ａは下から２段目のブロック１Ｂの位置にあるから、その下の１段目のブロック１Ｂを並べる。並べたブロック１Ｂは、コンクリートを充填するまで、必要に応じて適宜手段により仮固定するようにしても良い。このようにして切り梁104Ａの下までブロック１Ｂを並べたら、ブロック１Ｂの厚さ方向両側の外板部２，２の間に、ブロック１Ｂの上部高さ位置まで現場打ちコンクリート108を充填する。尚、この場合、この壁構造における１回目のコンクリートの打設と、前記現場打ちコンクリート部107のコンクリートの打設を同時に行ってもよい。さらに、ブロック１Ｂと鋼矢板壁103との間に、土砂などの埋め戻し材111を充填して埋め戻す。現場打ちコンクリート108が所定の強度まで硬化したら、幅方向両側の外板部２，２が型枠代わりとなって、並べたブロック１Ｂとコンクリート108とブロック１とが一体となった壁体12の下部が形成され、この壁体12の下部により鋼矢板壁103を押える力が得られる。したがって、ブロック１Ｂの上の切り梁104Ａを外すことができ、この切り梁104Ａを外した後、上段の切り梁104の下までブロック１Ｂを重ね合わせ、すなわち、この例では、ブロック１Ｂを基礎ブロック21の上に三段に重ね合わせた後、ブロック１Ｂの外板部２，２の間に現場打ちコンクリート108を充填し、さらに、ブロック１Ｂと鋼矢板壁103との間に、土砂などの埋め戻し材111を充填して埋め戻し、コンクリート108が所定の強度まで硬化したら、上段の切り梁104を取外し、この外した部分にブロック１Ｂを重ね合わせ、ブロック１Ｂと鋼矢板壁103の上部に現場打ちコンクリート108を充填し、さらに、ブロック１Ｂと鋼矢板壁103との間に、土砂などの埋め戻し材111を充填して埋め戻し、このようにして開削孔101の下部から上部に至る壁構造たる壁体12を形成する。
【００３６】
したがって、壁体12が完成した後は、必要に応じて鋼矢板102を引き抜くようにしてもよい。一方、埋め戻し材に現場打ちコンクリートを用いれば、壁体12と鋼矢板壁103とが一体化されて強度的に優れた壁構造が得られ、この場合は鋼矢板102は引き抜かない。
【００３７】
尚、地中構造物11の上部は開口していてもよいし、蓋体（図示せず）などにより閉塞していてもよい。尚、図１３の斜視図では、鋼矢板102及び鋼矢板壁103を図示省略している。
【００３８】
このように本実施例では、請求項１に対応して、開削孔101の底部に設ける底版部13と、開削孔101の側面に沿って設ける壁体12とを備えた地中構造物11において、上下方向に積み上げられると共に壁左右方向に並べて設けられ、内部にコンクリート108を充填して壁体12を形成する壁用型枠ブロック１Ｂであって、幅方向両側に設けられ壁体12の外面を形成する外面部たる外板部２，２と、これら両側の外板部２，２を連結する連結腕部６とを備え、連結腕部６は、外面部２の両側に設けられ、ブロック１Ｂ，１Ｂ相互が上下に積み上げ可能であるプレキャストコンクリート製の壁用型枠ブロック１Ｂと、底版部13と壁体12との間に位置するコーナー部に設けられ、壁用型枠ブロック１Ｂを重ねる上面部22と、連結鉄筋25が突設された底版形成面23とを備えるプレキャストコンクリート製の基礎ブロック21と、を用い、両側の基礎ブロック21，21の間に打設された現場打ちコンクリート部107と、両側の基礎ブロック21，21と、により底版部13を形成し、基礎ブロック21の上に壁用型枠ブロック１Ｂを上下方向に積み上げられると共に左右方向に並べ、両側の外面部２，２の間にコンクリートを充填して壁体12を形成したから、両側の基礎ブロック21，21の間に打設された現場打ちコンクリート部107と、両側の基礎ブロック21，21と、により底版部13を形成し、その基礎ブロック上21に壁用型枠ブロック１Ｂを上下方向に積み上げられると共に壁左右方向に並べて設けられ、内部にコンクリート108を充填して壁体12を形成する壁用型枠ブロック１Ｂであって、幅方向両側に設けられ壁体12の外面を形成する外面部たる外板部２，２と、これら両側の外板部２，２とを連結する連結腕部６とを備え、連結腕部６は、外面部２の両側に設けられ、ブロック１Ｂ，１Ｂ相互が上下に積み上げ可能であるから、ブロック１Ｂを上下方向に積み上げると共に左右方向に並べ、ブロック１Ｂの両側の外板部２，２の間に現場打ちコンクリート108を充填することにより、両側がブロック１Ｂの外板部２，２により構成された壁体12を現場で構築することができる。
【００３９】
また、このように本実施例では、請求項３に対応して、連結腕部６は、上下方向に間隔を置いて複数設けられている。
【００４０】
また、このように本実施例では、請求項１に対応して、前記壁用型枠ブロック１Ｂを上下方向に積み上げられると共に左右方向に並べ、両側の外面部たる外板部２，２の間にコンクリート108を充填してなるから、ブロック１Ｂの両面を型枠に利用して、壁体12を現場で簡便に構築することができる。
【００４１】
また、このように本実施例では、請求項４に対応して、請求項１〜３のいずれか１項に記載の地中構造物の施工方法において、開削孔101の側面に沿って壁構造たる壁体12を設ける際、開削孔101の側面に沿って、壁用型枠ブロック１Ｂを左右方向に並べると共に壁体12の途中の高さまで積み上げた後、コンクリート108を充填し、壁用型枠ブロック１Ｂの積み上げとコンクリート108の充填を複数回分けて所定高さ毎に行うから、開削孔101の側面間に切り梁104，104Ａなどを設けるなどして施工に制約がある現場でも、ブロック１Ｂを途中まで積み上げて壁体12の一部を構築した後、切り梁104，104Ａを取外し、その途中の壁体12の上にブロック１Ｂを積み重ね、高さ方向に複数回に分けてコンクリート108を打設することにより、壁体12を構築できる。
【００４２】
また、このように本実施例では、請求項５に対応して、開削孔101の側面位置に矢板たる鋼矢板102を打設し、両側の鋼矢板102の間を掘削して開削孔101を形成し、鋼矢板壁103により開削孔101の側面の土留めを施し、両側の鋼矢板壁103，103の間に切り梁104，104Ａを上下多段に設ける。
【００４３】
また、両側の外板部２が型枠代わりとなるから、他に型枠構成体の無い現場でも、壁構造を簡便に構築することができる。
【実施例２】
【００４４】
図１４〜図１５は本発明の第２実施例を示し、上記各参考例及び実施例と同一部分に同一符号を付し、その詳細な説明を省略して詳述すると、この例では、図１４に示すように、ブロック１Ｂは、縦方向より幅方向の大きな外面部たる前記外板部２を幅方向両側に備え、これら外板部２，２の両側及び中央に設けられこれら外板部２，２を連結する複数の連結腕部６を備える。この連結腕部６は上下方向に間隔を置いて複数設けられ、この例では２段に並んで設けられている。そして、前記外板部２，２の上，下面５，５が水平で平坦に形成されて、ブロック１，１相互が上下に積み上げ可能となっている。
【００４５】
このように本実施例においても、ブロック１Ｂは幅方向両側に設けられ壁体12の外面を形成する外面部２，２と、これら両側の外面部２，２とを連結する連結腕部６とを備え、連結腕部６は、外面部２，２の両側及び中央に設けられ、また、連結腕部６は、上下方向に間隔を置いて複数設けられているから、請求項１〜５に対応して、上記第１実施例と同様な作用・効果を奏する。
【実施例３】
【００４６】
図１６〜図１７は本発明の第３実施例を示し、上記各参考例及び実施例と同一部分に同一符号を付し、その詳細な説明を省略して詳述すると、この例では、図１６に示すように、ブロック１Ｃは、縦方向より幅方向の大きな外面部たる前記外板部２を幅方向両側に備え、これら外板部２，２の両側及び中央に設けられこれら外板部２，２を連結する連結腕部６を備える。この連結腕部６は両側及び中央にそれぞれ１本ずつ設けられている。そして、前記外板部２，２の上，下面５，５が水平で平坦に形成されて、ブロック１，１相互が上下に積み上げ可能となっている。また、このブロック１Ｃの外板部２は前記ブロック１Ｂの外板部２を上下に２分割した形状をなすから、壁体12の途中でコンクリート108を充填する場合、高さ寸法の調整を細かく行うことができる。
【００４７】
このように本実施例においても、ブロック１Ｂは幅方向両側に設けられ壁体12の外面を形成する外面部２，２と、これら両側の外面部２，２とを連結する連結腕部６とを備え、請求項１，２，４及び５に対応して、上記第２実施例と同様な作用・効果を奏する。
【００４８】
なお、本発明は、前記実施例に限定されるものではなく、種々の変形実施が可能である。例えば、ブロックの大きさや形状などは適宜選定可能である。また、壁構造に用いるブロックは少なくとも複数段（２段）以上に積み重ねて使用すればよい。また、地中構造物には、完全に地中に埋めたもの以外に、上部が開口したものも含まれる。また、ブロックに設ける腕部及び連結腕部の数及び配置は適宜選定可能である。
【産業上の利用可能性】
【００４９】
以上のように、本発明に係わる地中構造物とその施工方法は、施工条件の制約を受けにくく、現場で簡便に構築することができる地中構造物とその施工方法を提供することができる。
【図面の簡単な説明】
【００５０】
【図１】本発明の参考例１を示すブロックの斜視図である。
【図２】同上、図１のブロックの２分の１の高さを有するブロックの斜視図である。
【図３】同上、基礎ブロックの斜視図である。
【図４】同上、地中構造物の断面図である。
【図５】同上、施工中の地中構造物の断面図である。
【図６】同上、施工中の地中構造物の斜視図である。
【図７】本発明の参考例２を示すブロックの斜視図である。
【図８】同上、施工中の地中構造物の斜視図である。
【図９】本発明の第１実施例を示すブロックの斜視図である。
【図１０】同上、図９のブロックの２分の１の高さを有するブロックの斜視図である。
【図１１】同上、地中構造物の断面図である。
【図１２】同上、施工中の地中構造物の断面図である。
【図１３】同上、施工中の地中構造物の斜視図である。
【図１４】本発明の第２実施例を示すブロックの斜視図である。
【図１５】同上、施工中の地中構造物の斜視図である。
【図１６】本発明の第３実施例を示すブロックの斜視図である。
【図１７】同上、施工中の地中構造物の斜視図である。
【符号の説明】
【００５１】
１，１Ａ  壁用型枠ブロック
１Ｂ，１Ｃ  壁用型枠ブロック
２  外板部（外面部）
３  腕部
６  連結腕部
11  地中構造物
12  壁体（壁構造）
21  基礎ブロック
22  上面部
23  底版形成面
25  連結鉄筋
101  開削孔
103  鋼矢板壁（型枠構成体）
107  現場打ちコンクリート部
108  現場打ちコンクリート
【図１】
0004428396.tif 000002
【図２】
0004428396.tif 000003
【図３】
0004428396.tif 000004
【図４】
0004428396.tif 000005
【図５】
0004428396.tif 000006
【図６】
0004428396.tif 000007
【図７】
0004428396.tif 000008
【図８】
0004428396.tif 000009
【図９】
0004428396.tif 000010
【図１０】
0004428396.tif 000011
【図１１】
0004428396.tif 000012
【図１２】
0004428396.tif 000013
【図１３】
0004428396.tif 000014
【図１４】
0004428396.tif 000015
【図１５】
0004428396.tif 000016
【図１６】
0004428396.tif 000017
【図１７】
0004428396.tif 000018